(57)【特許請求の範囲】
【請求項１】
表示装置と、
前記表示装置の前面に設けられ、複数のピンホールまたはレンズが形成されてなるアレイ板と、
を備え、
前記表示装置に複数のパターン画像を前記複数のピンホールまたはレンズの一つ一つに対応して表示させ、前記表示装置から前記複数のピンホールまたはレンズのそれぞれを介して放出される光線群により立体的な画像を表示するインテグラルフォトグラフィ法または光線再生法に基づく立体像再生装置であって、
前記立体像再生装置が少なくとも第１の領域と第２の領域とこれらの間に設けられた第３の領域とに分割され、
前記第１乃至第３の領域のそれぞれは、複数の前記ピンホールまたはレンズを有し、
前記第１乃至第３の領域のそれぞれの範囲内においては、前記複数のピンホールまたはレンズを介して放出されるそれぞれの前記光線群の中心軸の方向は略同一であり、
前記第１の領域において放出される前記光線群の中心軸の方向と、前記第２の領域において放出される前記光線群の中心軸の方向と、のいずれもが、立体像の表示面に対して垂直な方向から前記表示面の中央に向けて傾斜してなり、
前記第３の領域において放出される前記光線群の中心軸の方向は、前記表示面に対して略垂直であることを特徴とする立体像再生装置。
【請求項２】
前記第１の領域における前記表示装置のピクセル群とそれに対応する前記ピンホールまたはレンズとの位置関係は、前記第３の領域における前記表示装置のピクセル群とそれに対応する前記ピンホールまたはレンズとの位置関係と、異なることを特徴とする請求項１記載の立体像再生装置。
【請求項３】
前記表示装置は、前記第１の領域と前記第３の領域との間に、ブランク領域を有し、
前記第１の領域における前記表示装置のピクセル群とそれに対応する前記ピンホールまたはレンズとの位置関係は、前記第３の領域における前記表示装置のピクセル群とそれに対応する前記ピンホールまたはレンズとの位置関係と、異なることを特徴とする請求項１記載の立体像再生装置。
【請求項４】
前記アレイ板は、前記第１の領域と第３の領域との間に、前記ピンホールまたはレンズの配列ピッチが周囲と異なる部分を有することを特徴とする請求項１または２に記載の立体像再生装置。
【請求項５】
前記光線群の視域角が２７度以上であることを特徴とする請求項１〜４のいずれか１つに記載の立体像再生装置。
【発明の詳細な説明】
【０００１】
【発明の属する技術分野】
本発明は、画像表示装置に関し、特に、インテグラルフォトグラフィー（ＩＰ）法あるいは光線再生法を用いつつ視野角の広い範囲に亘り立体的な画像を表示可能な立体像再生装置に関する。
【０００２】
【従来の技術】
アミューズメント、インターネットショッピング、携帯端末、医療、バーチャルリアリティ、広告看板などで使われる立体表示を可能にする立体像表示方法の１つとして、右目用と左目用の平面画像をそれぞれディスプレイに表示し、偏向光等を用いて右目用の平面画像は右目に、左目用の平面画像は左目で見えるように工夫した「ステレオスコープ方法」がある。
【０００３】
このステレオスコープ方式は、例えば偏向めがねのような光学手段を介して観察する必要がある。また、一見、立体的に見えるが、立体像を再現しる訳ではないので、見る角度を変えても映像は変わらず、見る位置を変えても立体像の裏側まで見えてくるというものではないので、リアリティにかけるという問題がある。
【０００４】
また、焦点位置がディスプレイ面にあり、この焦点位置と注視物体のある輻輳位置とには、空間的な「ずれ」が生ずるため、いわゆる焦点調節と輻輳距離の不一致が生じ、観察者にとって再現される空間に違和感があり、観察者に疲労を与えやすいという問題もある。
【０００５】
これらの問題を解決する立体表示方法として、非常に多くの視差画像を用いる「インテグラルフォトグラフィ（ＩＰ）法」或いは「光線再生法」と呼ばれる方法がある。これは、表示すべき立体像の視差画像を何らかの方法で記録し、これを再生するものである。この方法を開示した文献としては、例えば、特開平１０−２３９７８５号公報や、特開２００１−５６４５０号公報を挙げることができる。
【０００６】
ここで、インテグラルフォトグラフィ法及び光線再生法は、立体表示方法としてその用語の意味が正確には確立されていないが、ほぼ同一の原理に基づくものと考えることができる。以下の説明においては、光線再生法を含む概念として「インテグラルフォトグラフィ法」と称し、このインテグラルフォトグラフィ法について説明する。
【０００７】
図１６は、インテグラルフォトグラフィ法を用いた立体像表示装置の構成を例示する概念図である。
【０００８】
同図に表したように、液晶ディスプレイ等の画像表示装置５０１と、２次元配列されたピンホール或いはマイクロレンズのアレイ板５０２と、からなる簡単な光学系を用いて、自然な３次元像を再生することができる。
【０００９】
表示装置５０１の上には、見る角度により微妙に見え方の違う視差画像群に相当する多数のパターンが、ピンホール或いはマイクロレンズの一つ一つに対応して表示される。観察者５０５の側からこれらピンホール或いはマイクロレンズを通して対応するパターンを観察すると、表示装置５０１の背面に３次元虚像５０３（背面側から見ると存在しない像）を観察することができる。
【００１０】
また、視差画像群に相当する多数のパターンから発せられた光が、それぞれ対応するピンホール或いはマイクロレンズを介して表示装置の前方に発せられ、これらの光が焦点されることによって、ピンホール或いはマイクロレンズのアレイ板５０２の前面に３次元実像５０４が形成される。
【００１１】
すなわち、観察者５０５からピンホール或いはマイクロレンズのアレイ板５０２を介して表示装置５０１上のパターンに向かう視差画像光線群によって３次元虚像５０３を観測でき、表示装置５０１上のパターンからピンホール或いはマイクロレンズのアレイ板５０２を通して観察者５０５に向かう視差画像光線群を焦点することによって３次元実像５０４が形成される。
【００１２】
観察者に対して３次元虚像或いは３次元実像を観察できるようにする方法としては、このような方法の他にもいつくかの方法がある。しかし、インテグラルフォトグラフィ法は、このように簡単な構成で自然な立体像を形成することができる点で優れた方法である。また、インテグラルフォトグラフィ法は、実際に立体像を再生しているので、偏向めがねなどの光学手段も必要とされず、観察者の見る角度によって立体像の見える角度が変わるので、よりリアルな立体像を再生できる点で優れた方法であるといえる。
【００１３】
【発明が解決しようとする課題】
しかしながら、本発明者の独自の検討の結果、インテグラルフォトグラフィ法は、画面サイズが大きくなるに従い、その周辺部が正常に見えなくなるという問題を有することが判明した。
【００１４】
図１７は、インテグラルフォトグラフィ法において、視域角と観察距離との関係を説明するための概念図である。
【００１５】
インテグラルフォトグラフィ法においては、液晶ディスプレイやプラズマディスプレイなどの画像表示装置４０１から複数の視差画像光線群を発し、これらがピンホール板４０２の各ピンホールを介して観察者により観察されることにより立体像が観察される。
【００１６】
従って、リアルな立体像を得るためには、これら視差画像の全てが観察者に到達することが望ましい。しかし、図１７から分かるように、観察者の位置によっては、各ピンホールから放出される視差画像の一部が到達しない場合がある。例えば、図１７に表した簡略化した具体例の場合、観察者が３つのピンホール４０２Ａ〜４０２Ｃのそれぞれから放出された光の全てを観察できる位置は、同図において符号Ｂにより表したハッチ部分のみである。
【００１７】
従って、画面全体が正常に見えるための観察距離には最短値が存在し、この最短値よりも画面に近づいた場合には視差画像の一部を観察できないこととなる。この最短距離Ｌは、画面の横のサイズをＷとすると、次式により表すことができる。
Ｌ  ＝  Ｗ／（２ｔａｎθ）
例えば、画面の横のサイズを４２ｃｍとし、視域角２θを３０度とすると、観察距離は７８ｃｍ以上でなければならないことがわかる。
【００１８】
通常、多くの用途において、適正な観察距離は、画面の横のサイズとほぼ同じである。従って、画面の横サイズが４２ｃｍであれば、適正な観察距離も４２ｃｍ程度となる。しかし、図１７から分かるように、４２ｃｍまで近づくと、画面の中央付近しか正常な立体像が観察されない。視域角２θを５４度以上にできれば観察距離は画面の横サイズと同等となるが、実際に視域角２θを５４度以上にすることは困難である。
【００１９】
このように、インテグラルフォトグラフィ法では、画面サイズが大きくなると周辺部において立体像が正常に認識されなくなり、観察距離を大きくせざるを得ないという問題がある。
【００２０】
本発明は、かかる課題の認識に基づいてなされたものであり、その目的は、広い画面を適切な観察距離から観測できる立体像再生装置を堤供することにある。
【００２１】
【課題を解決するための手段】
本発明の一態様によれば、
表示装置と、
前記表示装置の前面に設けられ、複数のピンホールまたはレンズが形成されてなるアレイ板と、
を備え、
前記表示装置に複数のパターン画像を前記複数のピンホールまたはレンズの一つ一つに対応して表示させ、前記表示装置から前記複数のピンホールまたはレンズのそれぞれを介して放出される光線群により立体的な画像を表示するインテグラルフォトグラフィ法または光線再生法に基づく立体像再生装置であって、
前記立体像再生装置が少なくとも第１の領域と第２の領域とこれらの間に設けられた第３の領域とに分割され、
前記第１乃至第３の領域のそれぞれは、複数の前記ピンホールまたはレンズを有し、
前記第１乃至第３の領域のそれぞれの範囲内においては、前記複数のピンホールまたはレンズを介して放出されるそれぞれの前記光線群の中心軸の方向は略同一であり、
前記第１の領域において放出される前記光線群の中心軸の方向と、前記第２の領域において放出される前記光線群の中心軸の方向と、のいずれもが、立体像の表示面に対して垂直な方向から前記表示面の中央に向けて傾斜してなり、
前記第３の領域において放出される前記光線群の中心軸の方向は、前記表示面に対して略垂直であることを特徴とする立体像再生装置が提供される。
【００２４】
また、前記第１の領域における前記表示装置のピクセル群とそれに対応する前記ピンホールまたはレンズとの位置関係は、前記第２の領域における前記表示装置のピクセル群とそれに対応する前記ピンホールまたはレンズとの位置関係と、異なるものとすることができる。
【００２５】
また、前記表示装置は、前記第１の領域と前記第２の領域との間に、ブランク領域を有し、
前記第１の領域における前記表示装置のピクセル群とそれに対応する前記ピンホールまたはレンズとの位置関係は、前記第２の領域における前記表示装置のピクセル群とそれに対応する前記ピンホールまたはレンズとの位置関係と、異なるものとすることができる。
【００２６】
または、前記アレイ板は、前記第１の領域と第２の領域との間に、前記ピンホールまたはレンズの配列ピッチが周囲と異なる部分を有するものとすることができる。
【００２７】
また、前記光線群の視域角が２７度以上であるものとすれば、適正な観察距離でリアルな立体像を観察することが可能となる。
【００２８】
【発明の実施の形態】
以下、図面を参照しつつ、本発明の実施の形態について詳細に説明する。
【００２９】
図１は、本発明の第１の実施形態にかかる立体像再生装置の構成を説明する概念図である。
【００３０】
同図に表したように、この立体像再生装置は、液晶ディスプレイ等の表示装置１０１と、この前面に配置され、２次元配列されたピンホール或いはマイクロレンズのアレイ板１０２と、からなる簡単な光学系によって自然な３次元像を再生される。
【００３１】
表示装置１０１の上には、見る角度により微妙に見え方の違う視差画像群に相当する多数のパターンが、アレイ板１０２に設けられたピンホール或いはマイクロレンズの一つ一つに対応して表示される。この視差画像群は、例えば表示される像が立方体であれば、それぞれ見る角度に応じた立方体のパターンが複数表示されたものである。観察者の側から、ピンホール或いはマイクロレンズを通して対応するパターン（見る角度によって異なるパターン）を観察すると、表示装置１０１の背面に３次元虚像（背面側から見ると存在しない像）を観察することができる。
【００３２】
また、視差画像群に相当する多数のパターンから発せられた光が対応するピンホール或いはマイクロレンズを通して発せられ、この光が焦点されることによって、ピンホール或いはマイクロレンズのアレイ板１０２の前面に３次元実像が形成される。
【００３３】
すなわち、観察者からピンホール或いはマイクロレンズのアレイ板１０２を介して表示装置１０１上のパターンに向かう視差画像光線群によって３次元虚像を観測でき、表示装置１０１上のパターンからピンホール或いはマイクロレンズのアレイ板１０２を通して観察者に向かう視差画像光線群を焦点することによって３次元実像が形成される。
【００３４】
ここで、本発明においては、立体像再生装置を複数の領域に分割し、これら領域毎に、アレイ板１０２のそれぞれのピンホールまたはレンズから放出される光線群の出射角度に変化をつける。例えば、図１に例示した構成の場合、再生装置は、３つの領域ＤＰ１〜ＤＰ３に分割されている。そして、表示装置１０１の中央の分割領域ＤＰ２からの光線群は、その中心軸が画面に対してほぼ垂直になるように放出させ、外側寄りの分割領域ＤＰ１，ＤＰ３から放出される光線群は、画面の中央寄りに向けて放出させる。つまり、表示装置の外周部からの光線群の中心軸Ｃが表示装置の垂線Ｎに対して内側（中央寄り） になるように傾斜させる。
【００３５】
またここで、分割領域ＤＰ１〜ＤＰ３のそれぞれの中においては、光線群の中心軸Ｃの方向は一定とする。これは、中心軸Ｃが一定の領域内では、表示装置１０１に表示すべきパターンを、表示すべき像のポリゴンデータなどから高速に演算処理して得ることができるためである。
【００３６】
このようにすると、画面全体が正常に見えるための観察距離を短くすることができる。すなわち、画面の外周部からの光線群の中心軸Ｃの傾斜角度をδとした場合、画面の中心軸Ｎの上において、全ての光線群を受け取ることができる最短の観察距離Ｌは、画面の横のサイズをＷとすると、次式により表すことができる。
Ｌ  ＝  Ｗ／｛２ｔａｎ（θ＋δ）｝
例えば、傾斜角度δを光線群の視域角２θの半分すなわちθとした場合、最短の観察距離Ｌは、次式により表すことができる。
Ｌ  ＝  Ｗ／（２ｔａｎ２θ）
例えば、画面の横のサイズを４２ｃｍとし、視域角２θを３０度とすると観察距離Ｌは、３６ｃｍとなる。この値は、図１７に関して前述した従来例の半分以下であり、適正な観察距離である画面の横のサイズ（４２ｃｍ）よりも小さい。
【００３７】
そして、画面の中心垂直軸Ｎの上にいる場合、この観察距離Ｌよりも離れた範囲においては、画面全体に渡って正常な立体像が観察される。
【００３８】
また、視域角２θが２７度以上であれば、最短距離Ｌを、画面の横のサイズと同一の適正観察距離よりも小さくでき（上記具体例の場合、Ｌ＜４２ｃｍ）、画面に接近した状態でも、画面全体に渡り正常な立体像が観察できる。
【００３９】
本発明において、このように表示装置１０１の外側寄りの部分からの光線群を、画面の中央寄りに傾斜させる手段としては、表示画面上の多視点画像と、ピンホール或いはマイクロレンズとの相対的位置関係を変化させる方法を用いることができる。以下、この具体例について説明する。
【００４０】
図２は、表示画面２０１とアレイ板２０２の一部を表す模式図である。
【００４１】
本具体例の場合、アレイ板２０２においては、複数のピンホールまたはレンズＰ１〜Ｐ５が一定のピッチＰＰ、すなわち均等な間隔で配列している。そして、これらピンホールまたはレンズＰ１〜Ｐ５のそれぞれに対応して、表示装置２０１のピクセルＰＸが割り当てられ、分割領域ＰＧ１〜ＰＧ５が形成されている。
【００４２】
そして、分割領域ＰＧ３と分割領域ＰＧ４との間にブランク領域ＢＰを挿入することにより、分割領域ＰＧ４とＰＧ５について、ピンホールＰ４、Ｐ５との相対的な位置関係をずらしている。その結果として、これら分割領域ＰＧ４、ＰＧ５から放出される光線群の中心軸Ｃは、画面の垂線に対して中央寄りに傾斜されている。つまり、画面の外側寄りの分割領域ＰＧ４、ＰＧ５からの光線群を画面の中央に向けて傾斜させて放出させることができる。
【００４３】
例えば、アレイ板２０２に複数のピンホールＰ１〜Ｐ５を均一間隔の正方格子状に配置し、それらピンホール間隔ＰＰを２．０ｍｍピッチ、ピンホール（光透過部）の直径を１００μｍとすることができる。これに対して、液晶ディスプレイなどの表示装置２０１の上には、視差画像パターンを表示するため、ピンホールのピッチＰＰと同様の幅を有する分割領域ＰＧ１〜ＰＧ５が割り当てられている。
【００４４】
そして、液晶ディスプレイ２０１の周辺領域において、ブランク領域ＢＰを設けることにより、画像を構成するピクセルの分割領域ＰＧ４（ＰＧ５）とピンホールＰ４（Ｐ５）との位置関係を変化させて、その中心軸Ｃを表示装置の中央に向けて傾斜させることができる。
【００４５】
すなわち、分割領域ＰＧ３とＰＧ４との間に「つなぎ目部分」を設けることにより、画面の外周において、分割領域とピンホールとの位置関係をずらしている。このようなブランク領域ＢＰは、通常の観測で観察者に見えないように、ピンホール間の適切な位置に設けることができる。
【００４６】
このようにすることで、適正な観察距離（すなわち、画面からの距離が、画面の横のサイズと同程度の場合）でも、画面全体に渡って正常な立体像が観察された。また、観察者が受け取ることができる光線数が実効的に増えるため、より立体感が増した。
【００４７】
ここで、本発明におけるブランク領域ＢＰは、例えば、図３に概念的に例示した如く、画面の左右両側に一カ所ずつ設けることができる。この場合、ブランク領域ＢＰにより分割された左右の領域の中では、光線群は、同一の方向に放出される。
【００４８】
一方、画面サイズが大きく、あるいは横長の画面の場合など、図４に例示した如く、画面の左右両側に２箇所ずつあるいはそれ以上のブランク領域ＢＰを設けて、画面の左右端部からの光線軸を画面の中心に向けて大きく傾斜させることもできる。
【００４９】
また一方、本発明においては、図５に例示した如く、画面の左右のみならず、上下の適切な箇所にブランク領域ＢＰを設けても良い。特に、画面の上下サイズが大きな場合などは、このようにすれば、画面の上下部分からの光線群を画面の中央付近の観察者に向けて傾斜させることができる。
【００５０】
また、図６に例示した如く、画面の上下部分にそれぞれ２箇所あるいはそれ以上のブランク領域ＢＰを設けても良い。特に、画面サイズが大きく、あるいは縦方向に長い画面の場合など、図６に例示した如く、画面の上下両側にそれぞれ複数のブランク領域ＢＰを設けることにより、画面の上下部分からの光線軸を画面の中心に向けて大きく傾斜させることもできる。
【００５１】
またさらに、図７に例示した如く、画面の左右及び上部のみにブランク領域ＢＰを設ける場合もある。これは、特に、観察者が画面の中央の下寄りから観察する時に有利であり、例えば、映画のスクリーンのような場合を挙げることができる。
【００５２】
また、図８に例示した如く、画面が縦長でしかも大きいような場合には、観察者が画面の下寄りから観察するため、画面の上方のみにブランク領域ＢＰを設けると良い。
【００５３】
次に、本発明において、光線群を傾斜させるもうひとつの方法について説明する。
【００５４】
図９は、表示画面３０１とアレイ板３０２の一部を表す模式図である。
【００５５】
本具体例においては、表示装置３０１のピクセルＰＸが均等なピッチでピンホールに割り当てられ、分割領域ＰＧ１〜ＰＧ５が形成されている。これに対して、アレイ板３０２においては、ピンホールまたはレンズＰ１〜Ｐ３、Ｐ４〜Ｐ５は一定のピッチＰＰ１、すなわち均等な間隔で配列しているが、Ｐ３とＰ４との間は、これよりも小さいピッチＰＰ２を有する。
【００５６】
このように、ピンホールのピッチを局所的に変化させることによっても、分割領域ＰＧ４とＰＧ５について、ピンホールＰ４、Ｐ５との相対的な位置関係をずらすことができる。その結果として、これら分割領域ＰＧ４、ＰＧ５から放出される光線群の中心軸Ｃは、画面の垂線に対して中央寄りに傾斜されている。つまり、画面の外側寄りの分割領域ＰＧ４、ＰＧ５からの光線群を画面の中央に向け、多視点画像のピッチは一定にしておきピンホール３０２のピッチを分割領域ごとに変えた例である。このような方法でも適正な観察距離で画面全体に渡って正常な立体像が観察された。
【００５７】
その結果として、適正な観察距離で画面全体に渡って正常な立体像が観察される。
【００５８】
本具体例の場合も、このように異なるピッチＰＰ２を設ける位置は、例えば、図１０に概念的に例示した如く、アレイ板３０２の左右両側に一カ所ずつとすることができる。また、画面サイズが大きく、あるいは横長の画面の場合など、図１１に例示した如く、画面の左右両側に２箇所ずつあるいはそれ以上の部分のピンホールの間隔をピッチＰＰ２としても、画面の左右端部からの光線軸を画面の中心に向けて大きく傾斜させることもできる。
【００５９】
また一方、本発明においては、図１２に例示した如く、画面の左右のみならず、上下の適切な箇所においても、ピンホールの間隔をピッチＰＰ２としても良い。特に、画面の上下サイズが大きな場合などは、このようにすれば、画面の上下部分からの光線群を画面の中央付近の観察者に向けて傾斜させることができる。
【００６０】
また、図１３に例示した如く、画面の上下部分にそれぞれ２箇所あるいはそれ以上の部分において、ピンホールの間隔をピッチＰＰ２としても良い。特に、画面サイズが大きく、あるいは縦方向に長い画面の場合など、図１３に例示した如く、画面の上下両側のそれぞれ複数の部分においてピッチＰＰ２の部分を設けることにより、画面の上下部分からの光線軸を画面の中心に向けて大きく傾斜させることもできる。
【００６１】
また、図１４及び図１５についても、図７及び図８に関して前述したように、観察者が画面の下寄りから観察するような場合に有利な構成である。
【００６２】
以上、具体例を例示しつつ本発明の実施の形態について説明した。しかし、本発明は、上述した各具体例に限定されるものではない。
【００６３】
例えば、表示装置のピクセル数やピッチ、アレイ板のピンホールあるいはレンズの配列パターンやピッチなどについては、仕様に応じて適宜選択することができる。
【００６４】
また、表示装置に設けるブランク領域ＢＰのサイズや配置位置、あるいはアレイ板に設けるピッチＰＰ２のようなピッチを変化させた領域のピッチ量、配置関係、数などについても、当業者が適宜選択したものは、本発明の範囲に包含される。
【００６５】
また表示装置としても、液晶ディスプレイの代わりにＣＲＴ、プラズマディスプレイ、ＥＬディスプレイをはじめとする各種の表示装置を用いたものも、同様に本発明の範囲に包含される。
【００６６】
その他、本発明は、その趣旨を逸脱しない範囲において、種々変形して実施することができ、これらの実施例も本発明の範囲に包含される。
【００６７】
【発明の効果】
以上説明したように、本発明によれば、視差画像情報の載った光線群により空間中に３次元像を形成する立体像表示方法において、広い画面を適切な観察距離から観測できるようになり、自然な立体視が可能な立体像再生装置を提供できる。
【００６８】
その結果として、自然な立体視が可能な装置を低コストで実現でき、産業上のメリットは多大である。
【図面の簡単な説明】
【図１】本発明の第１の実施形態にかかる立体像再生装置の構成を説明する概念図である。
【図２】表示画面２０１とアレイ板２０２の一部を表す模式図である。
【図３】ブランク領域を画面の左右両側に一カ所ずつ設けた具体例を表す模式図である。
【図４】画面の左右両側に２箇所ずつあるいはそれ以上のブランク領域ＢＰを設けた具体例を表す模式図である。
【図５】画面の左右のみならず、上下の適切な箇所にブランク領域ＢＰを設けた具体例を表す模式図である。
【図６】画面の上下部分にそれぞれ２箇所あるいはそれ以上のブランク領域ＢＰを設けた具体例を表す模式図である。
【図７】画面の左右及び上部のみにブランク領域ＢＰを設けた具体例を表す模式図である。
【図８】画面の上方のみにブランク領域ＢＰを設けた具体例を表す模式図である。
【図９】表示画面３０１とアレイ板３０２の一部を表す模式図である。
【図１０】アレイ板３０２の左右両側に一カ所ずつピッチＰＰ２の部分を設けた具体例を表す模式図である。
【図１１】画面の左右両側に２箇所ずつあるいはそれ以上の部分のピンホールの間隔をピッチＰＰ２とした具体例を表す模式図である。
【図１２】画面の左右のみならず、上下の適切な箇所においても、ピンホールの間隔をピッチＰＰ２とした具体例を表す模式図である。
【図１３】画面の上下部分にそれぞれ２箇所あるいはそれ以上の部分において、ピンホールの間隔をピッチＰＰ２とした具体例を表す模式図である。
【図１４】画面の左右及び上部のみに可変ピッチＰＰ２を設けた具体例を表す模式図である。
【図１５】画面の上方のみに可変ピッチＰＰ２を設けた具体例を表す模式図である。
【図１６】インテグラルフォトグラフィ法を用いた立体像表示装置の構成を例示する概念図である。
【図１７】インテグラルフォトグラフィ法において、視域角と観察距離との関係を説明するための概念図である。
【符号の説明】
δ 傾斜角度
１０１、２０１、３０１、４０１、５０１ 表示装置
１０２、２０２、３０２、４０２、５０２ アレイ板
４０２Ａ〜４０２Ｃ ピンホール
５０３ ３次元虚像
５０４ ３次元実像
５０５ 観察者
ＢＰ ブランク領域
Ｃ 中心軸
Ｎ 垂線
ＰＰ１、ＰＰ２ ピッチ
Ｐ１〜Ｐ５ ピンホール
ＰＧ１〜ＰＧ５ 分割領域（ピクセル群）
ＰＸ ピクセル
【図１】
0003966753.tif 000002
【図２】
0003966753.tif 000003
【図３】
0003966753.tif 000004
【図４】
0003966753.tif 000005
【図５】
0003966753.tif 000006
【図６】
0003966753.tif 000007
【図７】
0003966753.tif 000008
【図８】
0003966753.tif 000009
【図９】
0003966753.tif 000010
【図１０】
0003966753.tif 000011
【図１１】
0003966753.tif 000012
【図１２】
0003966753.tif 000013
【図１３】
0003966753.tif 000014
【図１４】
0003966753.tif 000015
【図１５】
0003966753.tif 000016
【図１６】
0003966753.tif 000017
【図１７】
0003966753.tif 000018